(57)【要約】【課題】  不使用時にはコンパクトに折り畳んで携帯することができると共に、ネクタイや服などに取り付けたり、首飾りなどのアクセサリーとしても使用することができるファッション性に優れた装飾ローネット眼鏡を提供する。【解決手段】  左右一対のレンズを２軸ヒンジ機構のブリッジ部材で前後二重に畳み重ね可能に連結するという手段と、これに装飾部を有する把手部材とフックレバーと、要すれば、ループという手段を付設採用した。【選択図】  図２
2004280089.tif 000002
【特許請求の範囲】
【請求項１】
一対のレンズ11ａ・11ｂ同士を２軸ヒンジ機構のブリッジ部材12によって連結してグラス部１を構成し、前記ブリッジ部材12の２軸ヒンジ機構を構成するヒンジ軸12ａ・12ｂにおいて、当該グラス部を構成するレンズ11ａ・11ｂ同士を互いの側縁方向へ回転可能に支承して前後二重に畳み重ね可能にする一方、
このグラス部１における把持側となる一方のレンズ11ａの外側縁には、ヒンジ部21を備えたジョイント部材２を持出状態に配設し、このジョイント部材２の持出端部には、表面の所要箇所に装飾部31を有する把手部材３を設け、かつ、ジョイント部材２の基端部寄りの接眼側には、フックレバー22を起伏操作自在に配設して把持側レンズ11ａと可動側のレンズ11ｂとが重合状態にあるとき当該フックレバーのフック22ａと前記可動側レンズ11ｂの外側縁とが会合可能なる如く位置付けると共に、この可動側レンズ11ｂの外側縁が前記
フック22ａと会合する箇所には掛合部13を突設してフックレバー22のフック22ａと前記
掛合部13とを掛合可能となし、またフックレバー22のフック22ａを掛合部13から外したときには当該グラス部１のレンズ11ａ・11ｂがブリッジ12を中心として左右並立状態に拡展した状態で把手部材３を把持して明視できるようにしたことを特徴とする装飾ローネット眼鏡。
【請求項２】
グラス部１と把手部材３とをジョイント部材２のヒンジ軸21を中心として面合方向に折畳み操作したとき、グラス部１と把持部材３とが弾力的に引合うように付勢したことを特徴とする請求項１記載の装飾ローネット眼鏡。
【請求項３】
ブリッジ部材12のヒンジ軸12ａ・12ｂの各々に、レンズ11ａ・11ｂを拡展方向に付勢せしめる捩じりバネ12ｃが介装されていることを特徴とする請求項１または２記載の装飾ローネット眼鏡。
【請求項４】
ジョイント部材２のヒンジ部21にカム21ａを形成する一方、把手部材３に当該カム21ａに衝合する圧縮コイルバネ33が設けられており、カム形状に応じて段階的なノッチ式の位置決め機能なノッチ式に構成され、かつ、前記把手部材３とグラス部１とが引合うように付勢したことを特徴とする請求項１〜３に何れか一つに記載の装飾ローネット眼鏡。
【請求項５】
把手部材３の内側面に滑止め突起32が形成されていることを特徴とする請求項１〜４に何れか一つに記載の装飾ローネット眼鏡。
【請求項６】
一対のレンズ11ａ・11ｂ同士を２軸ヒンジ機構のブリッジ部材12によって連結してグラス部１を構成し、かつ、このグラス部１を構成する何れか一方のレンズ11の外側縁には把手部材３を設ける共に、前記ブリッジ部材12の２軸ヒンジ機構を構成するヒンジ軸12ａ・12ｂにおいて、前記レンズ11ａ・11ｂが互いの側縁方向に回転可能に支承されて前後二重に折り重ね可能にする一方、
前記把手部材３の基端部寄りの接眼側には、フックレバー22を起伏操作自在に配設して把持側レンズ11ａと可動側のレンズ11ｂとが重合状態にあるとき当該フックレバーのフック22ａと前記可動側レンズ11ｂの外側縁とが会合可能なる如く位置付けると共に、この可動側レンズ11ｂの外側縁が前記フック22ａと会合する箇所には掛合部13を突設してフックレバー22のフック22ａと前記掛合部13とを掛合可能となし、また、フックレバー22のフック22ａを掛合部13から外したときには当該グラス部１のレンズ11ａ・11ｂがブリッジ12を中心として左右並立状態に拡展した状態で把手部材３を把持して明視できるようにしたことを特徴とする装飾ローネット眼鏡。
【請求項７】
把手部材３に、直接またはリンク４を介してループ５を接続したことを特徴とする請求項６記載の装飾ローネット眼鏡。
【発明の詳細な説明】
【技術分野】
【０００１】
本発明は、眼鏡の改良、更に詳しくは、不使用時にはコンパクトに折畳んで携帯することができると共に、ネクタイや服などに取り付けてアクセサリとしても使用することができる装飾ローネット眼鏡(lorgnette) に関するものである。
【背景技術】
【０００２】
周知のとおり、近視者や老視者などは、眼鏡を着用して視力を矯正することによって
適正な視界を得る。そして、眼鏡は必要な時にすぐに着用できるように外出時や不使用時には邪魔にならない状態で携行できることが望ましい。
【０００３】
このようなことから、従来、ブリッジやテンプルなどに螺子軸を設け、これらの螺子軸でコンパクトに折り畳んで衣服のポケットに入れて携行できる折り畳み式の眼鏡が開示されている（例えば、特許文献１参照）。
【０００４】
しかしながら、この種の眼鏡は、コンパクトであるため、携帯に便利である反面、不使用時においては、却って紛失するおそれがある。また、基本的には、左右に一対のレンズを嵌め込んだフロント枠とテンプルとから構成されている通常形態の眼鏡フレームを無理遣りに小さく折畳む構造のものであるからファッション性に欠け、結局のところ、通常の眼鏡と同様に視力矯正用としての機能のみが中心になって、付加価値に今一つ物足りなさがあり、市場における顧客吸引力に富んだ商品としての優位性は見出せない。
【特許文献１】特開平１１−１３３３６０号公報  （第２−３頁、第１−５図）
【発明の開示】
【発明が解決しようとする課題】
【０００５】
本発明は、従来の眼鏡に上記のような問題があったことに鑑みて為されたものであり、その目的とするところは、不使用時にはコンパクトに折り畳んで携帯することができると共に、ネクタイや服などに取り付けたり、首飾りなどのアクセサリーとしても使用することができるファッション性に優れた装飾ローネット眼鏡を提供することにある。
【課題を解決するための手段】
【０００６】
本発明者が上記課題を解決するために採用した手段を添付図面を参照して説明すれば、次のとおりである。
【０００７】
即ち、一対のレンズ11ａ・11ｂ同士を２軸ヒンジ機構のブリッジ部材12によって連結してグラス部１を構成し、前記ブリッジ部材12の２軸ヒンジ機構を構成するヒンジ軸12ａ・12ｂにおいて、当該グラス部を構成するレンズ11ａ・11ｂ同士を互いの側縁方向へ回転可能に支承して前後二重に畳み重ね可能にする一方、
このグラス部１における把持側となる一方のレンズ11ａの外側縁には、ヒンジ部21を備えたジョイント部材２を持出状態に配設し、このジョイント部材２の持出端部には、表面の所要箇所に装飾部31を有する把手部材３を設け、かつ、ジョイント部材２の基端部寄りの接眼側には、フックレバー22を起伏操作自在に配設して把持側レンズ11ａと可動側のレンズ11ｂとが重合状態にあるとき当該フックレバーのフック22ａと前記可動側レンズ11の外側縁とが会合可能なる如く位置付けると共に、この可動側レンズ11ｂの外側縁が前記フック22ａと会合する箇所には掛合部13を突設してフックレバー22のフック22ａと前記掛合部13とを掛合可能となし、またフックレバー22のフック22ａを掛合部13から外したときには当該グラス部１のレンズ11ａ・11ｂがブリッジ12を中心として左右並立状態に拡展した状態で把手部材３を把持して明視できるように構成するという技術的手段を採用した。
【０００８】
また、本発明は、上記課題を解決するため、上記手段に加えて必要に応じ、グラス部１と把手部材３とをジョイント部材２のヒンジ軸21を中心として面合方向に折畳み操作したとき、グラス部１と把持部材３とが弾力的に引合うように蝶バネ（図示せず）等のごとき付勢手段を付設してもよい。
【０００９】
また、本発明は、上記課題を解決するために、必要に応じて上記手段に加え、ブリッジ部材12のヒンジ軸12ａ・12ｂの各々に、グラス部１を構成するレンズ11ａ・11ｂを展開方向に付勢せしめる捩じりバネ12ｃを介装するという技術的手段を採用することができる。      
【００１０】
また、本発明は、上記課題を解決するために、必要に応じて上記手段に加え、ジョイント部材２のヒンジ部21にカム21ａを形成する一方、把手部材３に当該カム21ａに衝合する押圧子33が設けられており、カム形状に沿って段階的に位置決め可能なノッチ式に構成され、かつ、前記把手部材３が閉脚方向に付勢されるようにするという技術的手段を採用することができる。
【００１１】
また、本発明は、上記課題を解決するために、必要に応じて上記手段に加え、把手部材３の内側面に滑止め突起32を形成するという技術的手段を採用することができる。
【００１２】
さらに、本発明は、一対のレンズ11ａ・11ｂ同士を２軸ヒンジ機構のブリッジ部材12によって連結してグラス部１を構成し、かつ、このグラス部１を構成する何れか一方のレンズ11の外側縁には把手部材３を設ける共に、前記ブリッジ部材12の２軸ヒンジ機構を構成するヒンジ軸12ａ・12ｂにおいて、前記レンズ11ａ・11ｂが互いの側縁方向に回転可能に支承されて前後二重に折り重ね可能にする一方、
前記把手部材３の基端部寄りの接眼側には、フックレバー22を起伏操作自在に配設して把持側レンズ11ａと可動側のレンズ11ｂとが重合状態にあるとき当該フックレバーのフック22ａと前記可動側レンズ11ｂの外側縁とが会合可能なる如く位置付けると共に、この可動側レンズ11ｂの外側縁が前記フック22ａと会合する箇所には掛合部13を突設してフックレバー22のフック22ａと前記掛合部13とを掛合可能となし、また、フックレバー22のフック22ａを掛合部13から外したときには当該グラス部１のレンズ11・11がブリッジ12を中心として左右並立状態に拡展した状態で把手部材３を把持して明視できるように構成するという技術手段を採用した。
【００１３】
更にまた、本発明においては、上記把手部材３に直接またはリンク４を介してループ５を接続するという技術的手段を付加することによりローネット眼鏡に首飾りとしての機能を持たせることもできる。
【発明の効果】
【００１４】
以上の手段を採用して構成される本発明の装飾ローネット眼鏡は、不使用時には左右一対のレンズを２軸ヒンジ機構の作用を利用して前後二重に畳み重ねることができるので、不使用時には極めてコンパクトな状態に形態縮小することができるうえに、把手部材にはアクセサリーとしての高級な装飾を付与することができるので、お洒落なネクタイピンとしての機能を発揮したり、あるいはポケット口にクリップして把手部材を然り気なく見せれば胸飾りとしての機能も発揮することが可能であり、また、把持部材にループを取り付けれる場合には、首飾りとしての機能も発揮することが可能である。
【００１５】
また、本発明の装飾ローネット眼鏡は、フックレバーを簡単に操作してフックを掛合部から外しさえすれば前後二重に重合状態にあるグラス部のレンズはブリッジを中心として円滑に左右並立状態に拡展することになるので、装飾機能に富んだ把手部材３を恰好良く把持して目標物を明視することができるのであって、お洒落を求める婦人や紳士の携帯用眼鏡としては頗る理想的である。
【００１６】
また更に、本発明のローネット眼鏡は、グラス部１のレンズ11ａと11ｂとを重ね合わせた状態で把手部材３を持って覗く場合には、ルーペ式の拡大鏡として使用することも可能である。
【発明を実施するための最良の形態】
【００１７】
本発明の実施形態を具体的に図示した図面に基いて更に詳細に説明すると、次のとおりである。
【実施例１】
【００１８】
本発明の実施形態を実施例１として、図１から図５に基いて説明する。図中、符号１で指示するものはグラス部であり、このグラス部１は一対のレンズ11ａと11ｂとを２軸ヒンジ機構のブリッジ部材12によって連結することによって構成される。また、符号２で指示するものはジョイント部材であり、このジョイント部材２はヒンジ部21を備える。また、符号３で指示するものは把手部材であって、この把手部材３の表面には欄間彫りの加工が施され、かつ、中心および周囲に輝石を固定して成る装飾部31が設けられている。
【００１９】
実施例１の８ーネット眼鏡は、図１〜図５に図示するとおりである。即ち、実施例１において、グラス部１を構成するレンズ11ａ・11ｂは周囲が金属製（モネル）のリムにより包囲してあるが、このレンズ11ａ・11ｂを横方向に並立させた状態で両レンズを囲うリムの合い向うコーナー同士を２軸ヒンジ機構のブリッジ部材12によって連結せしめる。このブリッジ部材12は、前記レンズ11ａ・11ｂに対し、直交方向に配設された横軸のヒンジ軸12ａと12ｂとを当該ブリッジ部材の両端部近傍に有する。したがって、このブリッジ部材12によって連結されたレンズ11ａと11ｂとは、図２に示すように、ヒンジ軸12ａ・12ｂにおいて展開して前後二重に畳み重ね操作が可能になっている。
【００２０】
こうして構成されたグラス部１の一方のレンズ11ａを囲うリムの外側縁には、上記ジョイント部材２を持出状態に配設し、このジョイント部材２における持出端部のヒンジ部21に上記把手部材３を連結することにより、レンズ11ａ・11ｂに対し把手部材３を屈伸可能に構成している。ちなみに、実施例１における可動側のレンズ11ｂを囲うリムの外周縁には出っ張り段状の掛合部13が設けられてあって、後述のフックレバーのフックと衝合して掛合するように構成されている。
【００２１】
他方、フックレバー22は、ジョイント部材２の基端部寄りの接眼側に起伏操作自在に配設されており、把持側レンズ11ａと可動側のレンズ11ｂとが重ね合わさったときには、このフックレバー22のフック22ａと前記可動側レンズ11ｂの外側縁の出っ張り段状の掛合部13とが会合して前記フック22ａが掛合部に掛合してグラス部１のレンズ11ａと11ｂとはロック状態になり前後二重に畳み重なって固定される。また、この状態において、前記フックレバー22の力端部を押すと、フック22ａと前記掛合部13とのロックが解除されてレンズ11ａと11ｂはブリッジ12のヒンジ軸12ａ・12ｂを中心として転回して左右並立状態に拡展し把手部材３を把持して明視できるようなる（図３参照）。他方また、実施例１のローネット眼鏡は、グラス部１のレンズ11ａと11ｂとを重ね合わせた状態で把手部材３を持って覗く場合には、ルーペ式の拡大鏡として通常の２倍の拡大率で物体等を覗くことも可能である。
【００２２】
また、実施３１のローネット眼鏡において、ジョイント部材２のヒンジ部21の構造を、図４に示すように、ジョイント部材２のヒンジ部21にカム21ａを内装する一方、把手部材３には当該カム21ａに衝合する圧縮コイルバネ33を対設しておくことによって、前記カム21ａのカム形状に応じてカタカタ、カタッとノッチ式の位置決め機能を発揮させることができ、しかもグラス部１と把手部材３とが弾力的に引き合うような付勢状態に構成することもできる。
【００２３】
このようにして、図５に示すようにネクタイなどを挟持して、アクセサリとしても使用することができ、しかも、高い装飾性がある。この際、把手部材３の内側面に滑止め突起32を形成することにより、引掛かりを良くして確実に挟持することができる。
【実施例２】
【００２４】
本発明の次の実施形態を実施例２として図解説明する。実施例２のローネット眼鏡は、図６〜図８に図示する。実施例２においてレンズ11ａとレンズ11ｂとを２軸ヒンジ機構のブリッジ部材12にて連結してグラス部１とする構成は、前述の実施例１と変わりがない。実施例２のローネット眼鏡が実施例１のものと違っているのは、把持部材３がレンズ11ａを囲うリムに直接接続してある点、フックレバー22のフック22ａが可動側レンズ11ｂにおけるリムの前面に当接するように成っている点、そして、把持部材３に首掛け用のループ５が接続してある点である。
【００２５】
しかして、実施例２のローネット眼鏡においては、把持部材３はレンズ11ａを囲うリムの外側縁に直接ロー付けにより接続してある。実施例２における把持部材３は大略長円型のフレーム形状に作製されており、その表面には全面にわたりコイニング装飾が施されている。
【００２６】
また、実施例２のローネット眼鏡にあっては、フックレバー22はレンズ11ａに接続された把持部材３の基部近傍の表面側の中央に配設されている。実施例２におけるフックレバー22は、可動側レンズ11ｂのリム前面を挟み付け可能なる如く周知のクリップ機構により軸支されており、力端部を押圧することによりフック11ａがリムから離れるように構成されている。このフックレバー22の表側の略中間部には、宝石が１個取り付けてあり、ワンポイント的な装飾部31を作出している。
【００２７】
さらに、本実施例２のローネット眼鏡にあっては、前記把持部材３にリンク４を介して首掛け用のループ５が連繋してあって、眼鏡の不使用時には、図８に示すように首飾りとしての機能も発揮することが可能である。
【００２８】
本願明細書に実施例として具体的に開示する発明は概ね上記のとおりであるが、本発明は前述の実施例１・２に限定されるものでは決してなく、「特許請求の範囲」の記載内において種々の変更が可能であって、例えば、グラス部１としてはリムを有するものを例示してあるが、ツーポイントのものに構成しても良く、この際、レンズ11に対し直接に掛合部13を形成することも可能である。
【００２９】
また、把手部材３の装飾部31は、宝石片が埋込み配設して構成したものに限らず、例えば、異種金属を積層して乱層模様（所謂「ダマスカス模様」）を表出して装飾としても
よく、何れのものも本発明の技術的範囲に属する。
【産業上の利用可能性】
【００３０】
しかして、以上のように構成される本発明は、携帯用の老眼鏡などについて従来不満が多かった問題点を悉くに解決することが可能であって、しかも機構的には簡素であって、装飾性も高く、そして視力矯正器具としての用途、ルーペ（拡大鏡）としての用途、ネクタイピンや胸飾り、さらに首飾りなど服飾品としての用途など多目的に使用できるから、その産業上の利用価値は頗る高いものと云える。
【図面の簡単な説明】
【００３１】
【図１】図１は、本発明の実施例１の装飾ローネット眼鏡を表わす全体的な正面図である。
【図２】図２は、実施例１の機構・動作説明図である。
【図３】図３は、実施例１のローネット眼鏡を片手で持って使用している状態を表わす斜視説明図である。
【図４】図４は、実施例１の折畳み機構と操作を表わす説明用の平面図である。
【図５】図５は、実施例１をネクタイピンとして使用している状態を表わす説明図である。
【図６】図６は、実施例２の首掛けループ付きの装飾ローネット眼鏡を表わす全体図である。
【図７】図７は、左右のレンズ同士を折り重ねた状態の実施例２の首掛けループ付きの装飾ローネット眼鏡の全体図である。
【図８】図８は、実施例２の装飾ローネット眼鏡を首飾りとして使用している状態を表わす説明図である。
【符号の説明】
【００３２】
１        グラス部
11ａ    把持側レンズ
11ｂ    可動側レンズ
12       ブリッジ部材
12ａ・12ｂ    ヒンジ軸
12ｃ  捩じりバネ
13       掛合部
２        ジョイント部材
21       ヒンジ部
21ａ    カム
22       フックレバー
22ａ    フック
３        把手部材
31      装飾部
32      滑止め突起
33      圧縮コイルバネ
４        リンク
５        ループ
【図１】
2004280089.tif 000003
【図２】
2004280089.tif 000004
【図３】
2004280089.tif 000005
【図４】
2004280089.tif 000006
【図５】
2004280089.tif 000007
【図６】
2004280089.tif 000008
【図７】
2004280089.tif 000009
【図８】
2004280089.tif 000010